(57)【特許請求の範囲】
【請求項１】
筆記体の内部に熱変色性インキを収容し、前記筆記体の前端に前記熱変色性インキが吐出可能なペン先を設け、前記筆記体を軸筒内に前後方向に移動可能に収容し、前記軸筒の後端部にノック体を設け、前記ノック体を前方に押圧することにより前記ペン先を前記軸筒の前端孔から突出状態にし、再度、前記ノック体を前方に押圧することにより前記ペン先突出状態を解除し前記ペン先を前記軸筒の前端孔より前記軸筒内に没入状態にする出没機構を備え、前記ノック体の後端部外面に、前記熱変色性インキの筆跡を摩擦しその際に生じる摩擦熱で前記熱変色性インキの筆跡を熱変色可能な摩擦部を設けた熱変色性筆記具であって、
前記軸筒の後部側壁にロックレバーを径方向に移動可動に設け、前記ロックレバーを前記軸筒の側壁の径方向の一端から他端に貫通させ、前記ロックレバーの一端を径方向内方に押し下げると前記ロックレバーの他端が径方向外方に突出するよう構成し、前記ロックレバーの一端を径方向内方に押し下げた状態において、前記ロックレバーと前記ノック体とが係合し前記ノック体の前後方向の移動が阻止され、一方、前記ロックレバーの他端を径方向内方に押し下げた状態において、前記ロックレバーと前記ノック体との係合が解除され前記ノック体の前後方向の移動が可能となるよう構成し、前記ノック体に第１の係合部と第２の係合部を形成し、ペン先没入状態において、前記ロックレバーの一端を径方向内方に押し下げると、前記ロックレバーの係止部と前記ノック体の第１の係合部とが係合し、前記ノック体の前後方向の移動が阻止され、ペン先突出状態において、前記ロックレバーの一端を径方向内方に押し下げると、前記ロックレバーの係止部と前記ノック体の第２の係合部とが係合し、前記ノック体の前後方向の移動が阻止されることを特徴とする熱変色性筆記具。
【発明の詳細な説明】
【技術分野】
【０００１】
本発明は、熱変色性筆記具に関する。
【背景技術】
【０００２】
特許文献１には、軸筒内に筆記体を前後方向に移動可能に収容し、軸筒の外面に操作部を設け、前記操作部を操作することにより前記筆記体のペン先を軸筒の前端孔から出没可能に構成し、前記筆記体の内部に熱変色性インキを収容し、前記筆記体の前端に前記熱変色性インキが吐出可能なペン先を設け、前記軸筒の外面に、前記熱変色性インキの筆跡を摩擦しその際に生じる摩擦熱で該筆跡を熱変色可能な摩擦部を設けた熱変色性筆記具が開示されている。
【０００３】
前記特許文献１は、軸筒後端の操作部（本願のノック体に相当）を前方に押圧するタイプにおいて操作部に摩擦部を設けた場合、該摩擦部を用いて摩擦操作すると、被筆記面によって操作部がペン先側に移動し、安定した摩擦操作を行うことができないおそれがある。特に、ペン先突出操作及びペン先没入操作のいずれもが操作部を前方に押圧操作するタイプの出没機構（いわゆるダブルノック式）を採用し且つ操作部に摩擦部を設けた場合、ペン先突出状態において操作体が前後方向にがたつき、安定した摩擦操作を行うことができないおそれがある。
【先行技術文献】
【特許文献】
【０００４】
【特許文献１】国際公開第２００８／１０５２２７号パンフレット
【発明の概要】
【発明が解決しようとする課題】
【０００５】
本発明は、前記従来の問題点を解決するものであって、ノック体後端の摩擦部を用いて安定した摩擦操作が可能となる熱変色性筆記具を提供しようとするものである。尚、本発明で、「前」とは、ペン先側を指し、「後」とは、その反対側を指す。尚、本発明で、「ペン先没入状態」とは、ペン先が軸筒内に没入した状態をいい、「ペン先突出状態」とは、ペン先が軸筒の前端より外部に突出した状態をいう。
【課題を解決するための手段】
【０００６】
本願の第１の発明は、筆記体３の内部に熱変色性インキを収容し、前記筆記体３の前端に前記熱変色性インキが吐出可能なペン先３１を設け、前記筆記体３を軸筒２内に前後方向に移動可能に収容し、前記軸筒２の後端部にノック体６を設け、前記ノック体６を前方に押圧することにより前記ペン先３１を前記軸筒２の前端孔２１から突出状態にし、再度、前記ノック体６を前方に押圧することにより前記ペン先突出状態を解除し前記ペン先３１を前記軸筒２の前端孔２１より前記軸筒２内に没入状態にする出没機構を備え、前記ノック体６の後端部外面に、前記熱変色性インキの筆跡を摩擦しその際に生じる摩擦熱で前記熱変色性インキの筆跡を熱変色可能な摩擦部６１を設けた熱変色性筆記具であって、前記軸筒２の後部側壁にロックレバー７を径方向に移動可動に設け、前記ロックレバー７を前記軸筒２の側壁の径方向の一端から他端に貫通させ、前記ロックレバー７の一端を径方向内方に押し下げると前記ロックレバー７の他端が径方向外方に突出するよう構成し、前記ロックレバー７の一端を径方向内方に押し下げた状態において、前記ロックレバー７と前記ノック体６とが係合し前記ノック体６の前後方向の移動が阻止され、一方、前記ロックレバー７の他端を径方向内方に押し下げた状態において、前記ロックレバー７と前記ノック体６との係合が解除され前記ノック体６の前後方向の移動が可能となるよう構成し、前記ノック体６に第１の係合部６ａと第２の係合部６ｂを形成し、ペン先没入状態において、前記ロックレバー７の一端を径方向内方に押し下げると、前記ロックレバー７の係止部７３と前記ノック体６の第１の係合部６ａとが係合し、前記ノック体６の前後方向の移動が阻止され、ペン先突出状態において、前記ロックレバー７の一端を径方向内方に押し下げると、前記ロックレバー７の係止部７３と前記ノック体６の第２の係合部６ｂとが係合し、前記ノック体の前後方向の移動が阻止されることを要件とする。
【０００７】
前記第１の発明の熱変色性筆記具１は、前記軸筒２の後部側壁にロックレバー７を径方向に移動可動に設け、前記ロックレバー７を前記軸筒２の側壁の径方向の一端から他端に貫通させ、前記ロックレバー７の一端を径方向内方に押し下げると前記ロックレバー７の他端が径方向外方に突出するよう構成し、前記ロックレバー７の一端を径方向内方に押し下げた状態において、前記ロックレバー７と前記ノック体６とが係合し前記ノック体６の前後方向の移動が阻止され、一方、前記ロックレバー７の他端を径方向内方に押し下げた状態において、前記ロックレバー７と前記ノック体６との係合が解除され前記ノック体６の前後方向の移動が可能となるよう構成したことにより、ノック体６の後端部外面の摩擦部６１を用いて安定した摩擦操作が可能となる。特に、前記第１の発明の熱変色性筆記具１は、ロックレバー７を押し下げるだけで、ノック体６のロックとノック体６のロック解除とを容易になしうる。
【０００８】
・摩擦部
本発明において、前記摩擦部６１は、弾性を有する合成樹脂（ゴム、エラストマー）からなることが好ましい。前記摩擦部６１を構成する弾性を有する合成樹脂は、例えば、シリコーン樹脂、ＳＢＳ樹脂（スチレン−ブタジエン−スチレン共重合体）、ＳＥＢＳ樹脂（スチレン−エチレン−ブチレン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。また、前記摩擦部６１を構成する弾性を有する合成樹脂は、高摩耗性の弾性材料（例えば、消しゴム等）からなるものよりも、摩擦時に摩耗カス（消しカス）が殆ど生じない低摩耗性の弾性材料からなることが好ましい。
【０００９】
・熱変色性インキ
本願発明において、前記熱変色性インキは、可逆熱変色性インキが好ましい。前記可逆熱変色性インキは、発色状態から加熱により消色する加熱消色型、発色状態または消色状態を互変的に特定温度域で記憶保持する色彩記憶保持型、または、消色状態から加熱により発色し、発色状態からの冷却により消色状態に復する加熱発色型等、種々のタイプを単独または併用して構成することができる。
【００１０】
また、前記可逆熱変色性インキに含有される色材は、従来より公知の（イ）電子供与性呈色性有機化合物、（ロ）電子受容性化合物、及び（ハ）前記両者の呈色反応の生起温度を決める反応媒体、の必須三成分を少なくとも含む可逆熱変色性組成物をマイクロカプセル中に内包させた可逆熱変色性顔料が好適に用いられる。
【００１１】
本発明では、図８に示すように、温度変化による着色濃度の変化をプロットした曲線の形状が、温度を変色温度域より低温側から上昇させていく場合と逆に変色温度域より高温側から下降させていく場合とで異なる経路を辿って変色し、完全発色温度（ｔ１）以下の低温域での発色状態、または完全消色温度（ｔ４）以上の高温域での消色状態が、特定温度域〔ｔ２〜ｔ３の間の温度域（実質的二相保持温度域）〕で記憶保持できる色彩記憶保持型熱変色性インキが適用されることが好ましい。図８において、ΔＨは、ヒステリシスの程度を示す温度幅（即ちヒステリシス幅）を示す。ΔＨの値が小さいと、変色前後の両状態のうち一方の状態しか存在しえない。ΔＨの値が大きいと、変色前後の各状態の保持が容易となる。
【００１２】
本発明では、前記摩擦部６１の摩擦熱による熱変色性インキの変色温度は、２５℃〜９５℃（好ましくは３６℃〜９５℃）に設定される。即ち、本発明では、前記高温側変色点〔完全消色温度（ｔ４）〕を、２５℃〜９５℃（好ましくは、３６℃〜９０℃）の範囲に設定し、前記低温側変色点〔完全発色温度（ｔ１）〕を、−３０℃〜＋２０℃（好ましくは、−３０℃〜＋１０℃）の範囲に設定することが有効である。それにより、常態（日常の生活温度域）で呈する色彩の保持を有効に機能させることができるとともに、可逆熱変色性インキによる筆跡を摩擦部６１による摩擦熱で容易に変色することができる。
【発明の効果】
【００１３】
本発明熱変色性筆記具は、ノック体の後端部外面の摩擦部を用いて安定した摩擦操作が可能となる。
【図面の簡単な説明】
【００１４】
【図１】本発明の実施の形態のペン先没入時のノック体のロック状態を示す縦断面図である。
【図２】図１の熱変色性筆記具のペン先突出時のノック体のロック状態を示す縦断面図である。
【図３】図１の熱変色性筆記具のペン先没入時のノック体のアンロック状態を示す要部縦断面図である。
【図４】図１の熱変色性筆記具のペン先突出時のノック体のアンロック状態を示す要部縦断面図である。
【図５】図１のＡ−Ａ線拡大断面図である。
【図６】図３のＢ−Ｂ線拡大断面図である。
【図７】図１の出没機構を示す分解図である。
【図８】熱変色性インキの変色挙動を示す説明図である。
【発明を実施するための形態】
【００１５】
本発明の実施の形態を図１乃至図７に示す。
本実施の形態の熱変色性筆記具１は、軸筒２と、該軸筒２内に収容される筆記体３と、該筆記体３のペン先３１を軸筒２の前端孔２１より出没自在にさせる出没機構とを備える。
【００１６】
前記筆記体３は、ペン先３１と、該ペン先３１が前端開口部に圧入固着されたインキ収容管３２と、該インキ収容管３２内に充填される熱変色性インキと、該熱変色性インキの後端に充填され且つ該熱変色性インキの消費に伴い前進する追従体（例えば高粘度流体）とからなる。
【００１７】
前記ペン先３１は、例えば、前端に回転可能にボールを抱持した金属製のボールペンのみからなる構成、または前記ボールペンチップの後部外面を保持した合成樹脂製のペン先ホルダーからなる構成のいずれであってもよい。また、前記インキ収容管３２の後端開口部に、インキ収容管３２内部と外部とが通気可能な通気孔を備えた尾栓を取り付けてもよい。
【００１８】
前記出没機構は、回転カム機構を用いたノック式出没機構であり、軸筒２内面に形成されたカム部４と係合し且つ筆記体３の後端と当接する回転部材５と、該回転部材５と係合し且つ軸筒２後端より突出するノック体６と、軸筒２内に収容され且つ筆記体３を後方に付勢する弾発体８（例えば圧縮コイルスプリング）とからなる。本実施の形態の出没機構は、ペン先突出操作及びペン先没入操作のいずれもがノック体６を前方に押圧する操作のダブルノック式である。
【００１９】
前記軸筒２内面のカム部４は、前方に突出する鋸歯状の複数のカム歯４１と、該カム歯４１間に形成され、回転部材５が係合するカム溝４２とを備える［図７（ｃ）参照］。前記回転部材５は、その外面に長手方向に延びる３本の突条５１を備え、該突条５１が、前記軸筒２内面のカム部４のカム溝４２と係合される［図７（ｂ）参照］。前記ノック体６は、棒状の合成樹脂の成形体からなり、その後端部に摩擦部６１が形成され、その前端部に、カム部４のカム溝４２内を摺動するガイド突条６２と、回転部材５の突条５１の後端と係合するカム歯６３とが形成される［図７（ａ）参照］。前記ガイド突条６２と前記カム溝４２との周方向係合により前記ノック体６の棒状体７は軸筒２に対して回転不能に取り付けられる。前記摩擦部は弾性材料（例えば、シリコーン樹脂、ＳＢＳ樹脂、ＳＥＢＳ樹脂等）からなる。
【００２０】
前記ノック体６の中間部外面には、環状凹部よりなる第１の係合部６ａと、環状凹部よりなる第２の係合部６ｂが形成される。前記第１の係合部６ａの後方に前記第２の係合部６ｂが形成される。
【００２１】
前記軸筒２の後部の側壁には径方向の両側に取付孔２２が形成され、前記取付孔２２にロックレバー７が取り付けられる。前記ロックレバー７が、前記軸筒２の側壁の径方向の一端から他端に貫通される。前記ロックレバー７は径方向に移動可動に設けられる。前記ロックレバー７の一端を径方向内方に押し下げると前記ロックレバー７の他端が径方向外方に突出し、逆に、前記ロックレバー７の他端を径方向内方に押し下げると前記ロックレバー７の一端が径方向外方に突出される。
【００２２】
前記ロックレバー７の一端にはロックボタン７１が形成され、前記ロックレバー７の他端にはアンロックボタン７２が形成される。前記ロックレバー７のロックボタン７１側の径方向内方には、係止部７３が形成される。一方、前記ロックレバー７のアンロック側の径方向内方には、径方向外方に開口し且つ軸方向に貫通する孔７４が形成される。
【００２３】
ペン先没入状態において、前記ロックレバー７のロックボタン７１を径方向内方に押し下げると、前記ロックレバー７の係止部７３と前記ノック体６の第１の係合部６ａとが係合し、ノック体６の前後方向の移動が阻止される。（図１、図５参照）
【００２４】
ペン先突出状態において、前記ロックレバー７のロックボタン７１を径方向内方に押し下げると、前記ロックレバー７の係止部７３と前記ノック体６の第２の係合部６ｂとが係合し、ノック体６の前後方向の移動が阻止される。（図２参照）
【００２５】
ペン先没入状態において、前記ロックレバー７のアンロックボタン７２を径方向内方に押し下げると、前記ロックレバー７の係止部７３と前記ノック体６の第１の係合部６ａとの係合が解除され、前記ロックレバー７の孔７４にノック体６が遊挿され、ノック体６の前後方向の移動が可能となる。（図３、図６参照）
【００２６】
ペン先突出状態において、前記ロックレバー７のアンロックボタン７２を径方向内方に押し下げると、前記ロックレバー７の係止部７３と前記ノック体６の第２の係合部６ｂとの係合が解除され、前記ロックレバー７の孔７４にノック体６が遊挿され、ノック体６の前後方向の移動が可能となる。（図４参照）
【００２７】
本実施の形態の熱変色性筆記具１は、前記軸筒２の後部側壁にロックレバー７を径方向に移動可動に設け、前記ロックレバー７を前記軸筒２の側壁の径方向の一端から他端に貫通させ、前記ロックレバー７の一端を径方向内方に押し下げると前記ロックレバー７の他端が径方向外方に突出するよう構成し、前記ロックレバー７の一端を径方向内方に押し下げた状態において、前記ロックレバー７と前記ノック体６とが係合し前記ノック体６の前後方向の移動が阻止され、一方、前記ロックレバー７の他端を径方向内方に押し下げた状態において、前記ロックレバー７と前記ノック体６との係合が解除され前記ノック体６の前後方向の移動が可能となるよう構成したことにより、ノック体６の後端部外面の摩擦部６１を用いて安定した摩擦操作が可能となる。特に、本実施の形態の熱変色性筆記具１は、ロックレバー７を押し下げるだけで、ノック体６のロックとノック体６のロック解除とを容易になしうる。
【符号の説明】
【００２８】
１  熱変色性筆記具
２  軸筒
２１  前端孔
２２  取付孔
３  筆記体
３１  ペン先
３２  インキ収容管
４  カム部
４１  カム歯
４２  カム溝
５  回転部材
５１  突条
６  ノック体
６１  摩擦部
６２  ガイド突条
６３  カム歯
６ａ  第１の係合部
６ｂ  第２の係合部
７  ロックレバー
７１  ロックボタン
７２  アンロックボタン
７３  係止部
７４  孔
８  弾発体
【図１】
0005784967.tif 000002
【図２】
0005784967.tif 000003
【図３】
0005784967.tif 000004
【図４】
0005784967.tif 000005
【図５】
0005784967.tif 000006
【図６】
0005784967.tif 000007
【図７】
0005784967.tif 000008
【図８】
0005784967.tif 000009